(57)【要約】  本発明は、固体表面(S)でのβ-線を、その固体表面(S)を破壊せずに検出する器具に関する。当該器具は、β-線を含む少なくとも2種類の異なる放射線に対して敏感な少なくとも2つの膜を有する。
2013541001.tif 000002
【特許請求の範囲】
【請求項１】
固体表面からのβ-線を、前記固体表面を破壊せずに検出する器具であって、
β-線を含む少なくとも2種類の異なる放射線に対して敏感な少なくとも2つの膜を有する、器具。
【請求項２】
前記固体表面の周辺の放射線から前記膜を保護する保護体をさらに有する、請求項1に記載の器具。
【請求項３】
前記保護体がポリマー膜のシートである、請求項2に記載の器具。
【請求項４】
前記保護体が黒の織物である、請求項2に記載の器具。
【請求項５】
前記保護体は、前記膜が感受性を有する放射線が侵入しない材料で作られる被覆体である、請求項2に記載の器具。
【請求項６】
前記被覆体が鉛で作られる、請求項5に記載の器具。
【請求項７】
β-線を定量するために校正されたスケールをさらに有する、請求項1乃至6のうちのいずれか一項に記載の器具。
【請求項８】
請求項1乃至7のうちのいずれか一項に記載の器具を使用する方法であって：
前記固体表面上に第1膜又は3層以上の膜からなる積層体を設置する手順；
前記第1膜上に第2膜又は前記積層体を設置する手順；
前記第1膜と前記第2膜を現像する手順；及び、
前記現像手順後、前記第1膜又は前記固体表面に対して最も近くに位置する前記積層体の膜と、前記第2膜とを比較する手順；
を有し、
前記積層体の膜の数は、β-線が前記第2膜へ到達しないように決定される、
方法。
【請求項９】
前記第1膜と前記第2膜を保護体で被覆する手順をさらに有する、請求項8に記載の方法。
【請求項１０】
前記第1膜と前記第2膜を現像する手順が、適切な装置を用いて、レーザーによって実行される、請求項8又は9に記載の方法。
【発明の詳細な説明】
【技術分野】
【０００１】
本発明は放射線の検出に関する。より詳細には本発明は、固体表面上でのβ-線の検出に関する。純粋なβ-放射体は、X線又はγ線の放出を伴わずにβ-線を放出する放射性核種である。
【背景技術】
【０００２】
特に核施設を解体する前に、その核施設に存在する個人が負う危険性を知り、その個人が適切な防護をするため、その核施設での放射線の検出を可能にすることは重要である。
【０００３】
ある放射線は、他の放射線よりも検出が容易である。これらの放射線−たとえばγ線又はX線のような−については、これらの放射線強度を局所的に知るための適切な装置が現在利用可能である。
【０００４】
しかし他の放射線は検出が難しい。その理由は、これらの放射線−たとえばβ-線−が、弱すぎるからである。β-線は、中性子と陽子を含んで、余剰の中性子を与える原子核によって放射される。一定圧力では、核子の中性子は陽子に変換されうる。これには、粒子である電子と反ニュートリノの放出が伴う。β-線は中程度の侵入深さを有する。大きな侵入深さを有するγ線又はX線とは異なり、β-線を止めるのには、厚さ数mmのアルミニウムシートで十分である。
【０００５】
核施設内では、β-線は主として、水素1Hの放射性同位元素であるトリチウム3Hに起因する。その核施設の解体処理を行う前に、除染の必要なトリチウム3Hの存在を明らかにするβ-線を放出する領域を特定することが求められる。
【０００６】
現在、固体表面上のトリチウム3Hに起因するβ-線を検出するため、サンプリングが行われる。そのサンプリングは、調査対象である固体表面を破壊する。
【０００７】
たとえば非特許文献1では、フランスのサクレー(Saclay)で1979〜1997年の間に運転されたシンクロトロンのサターンII(SaturnII)の解体について記載されている。測定の前に、シンクロトロン構造物のコンクリート内でコアサンプリングが行われた。続いて取り出されたコアがダイアモンドによってサンプリングされた。その後トリチウム3Hが、液体シンチレータによって計数することによってこれらのコア上で測定された。試料調製法は非特許文献1からはわからない。
【０００８】
非特許文献1で用いられた方法の一の課題は、トリチウム3Hの測定を実行したい固体表面をはかいする必要があることである。他の課題は、トリチウム3Hの測定が非常に局所的となることである。そのため別の場所での測定が必要な場合には、別のコアサンプリングが必要となる。
【０００９】
非破壊的にトリチウム3Hを測定する装置及び方法が特許文献1に記載されている。その装置は、吸入管の一端で構成される接続ヘッド、加熱素子、及び、固体表面を固定するための固定吸着装置を有する。吸入管は、コールドトラップと接続される。コールドトラップ自体も流量計を備える吸入ポンプと接続される。
【００１０】
使用された方法は以下の通りである。接続ヘッドが固体表面−この場合コンクリート−上に設けられる。固定吸着装置は接続ヘッドを固定する。加熱素子は、接続ヘッドによって覆われた部分上のコンクリートを200℃に加熱する。それによってそのコンクリート中に存在する水が蒸発する。ポンプは、コンクリートから飛び出した水蒸気を吸入する。その水蒸気がコールドトラップに到達するとき、その水蒸気は、液体の水になるまで凝縮する。続いてそのコールドトラップは、その水の中に含まれるトリチウム3Hの測定に用いられる。
【００１１】
特許文献1の装置及び方法に係る一の課題は、固体表面の離散化は、接続ヘッドのサイズの何分の1でしかできないことである。しかし特にコンクリートは十分な量のトリチウム3Hを含んでいないので、接続ヘッドのサイズは、十分な量の水蒸気を吸入できるように十分大きくなければならない。この方法はまた、トリチウム3Hが変化しやすい一方で、コンクリートに強く結合されうることを推定している。
【００１２】
他の課題は、放射性となりうる液体試料を輸送する必要があることである。
【００１３】
さらに他の課題は、特別な形状を有する接続ヘッドの設置の自動化が困難なことである。
【先行技術文献】
【特許文献】
【００１４】
【特許文献１】特開平03-041386号明細書
【非特許文献】
【００１５】
【非特許文献１】"Calculations  and  measurements  of  induced  activation  in  concrete  protection  of  an  accelerator  of  high  energy  ions,"、Radiation  Protection誌、2000年、第35巻、No.3、pp.311-334
【発明の概要】
【発明が解決しようとする課題】
【００１６】
本発明の一の目的は、上で例示した従来技術に係る課題のうちの少なくとも1つを解決することである。
【課題を解決するための手段】
【００１７】
上記目的のため、本発明は、固体表面(S)でのβ-線を、その固体表面(S)を破壊せずに検出する器具に関する。当該器具は、β-線を含む少なくとも2種類の異なる放射線に対して敏感な少なくとも2つの膜を有する。
【００１８】
当該器具の一の利点は、その使用が単純なことである。それに加えて、単純な膜を使用することで、設置の自動化が可能となる。その結果、人が、解体されるべき建物に入ってサンプリング操作を実行する必要がなくなる。
【００１９】
他の任意で非限定的な特徴は以下の通りである。
−  当該器具はまた、前記固体表面の周辺の放射線から前記膜を保護する保護体をも有する。
−  前記保護体はポリマー膜のシートである。
−  前記保護体は黒の織物である。
−  前記保護体は、前記膜が感受性を有する放射線が侵入しない材料で作られる被覆体である。
−  前記被覆体は鉛で作られる。
−  β-線を定量するのに校正されたスケールをも有する。
【００２０】
本発明はまた、上述の器具を使用する方法をも供する。当該方法は、
−  固体表面上に第1膜を設置する手順、
−  前記第1膜上に第2膜を設置する手順、
を有する。
【００２１】
他の任意で非限定的な特徴は以下の通りである。
−  当該方法はまた、前記第1膜と前記第2膜を保護体で被覆する手順をさらに有する。
−  当該方法はまた、適切な装置によるレーザーによって前記第1膜と前記第2膜を現像する手順をも有する。
【００２２】
他の目的、特徴、及び利点は、添付図面を参照しながら以降の詳細な説明を読むことによって、明らかとなる。
【図面の簡単な説明】
【００２３】
【図１】固体表面上に設置されたβ-線検出用の器具を概略的に表している。
【図２ａ】サンプリングスケールが用いられるときの図1の器具を用いる当該方法の手順を表している。
【図２ｂ】セパレータが用いられるときの図1の器具を用いる当該方法の手順を表している。
【図３ａ】固体表面からの放射線に曝露した後にレーザーによって現像された、固体表面に近い方である第1膜の再現である。
【図３ｂ】固体表面からの放射線に曝露した後にレーザーによって現像された、固体表面から遠い方である第2膜の再現である。
【図４ａ】図1の第1膜と同一の材料の膜で得られたβ-線、つまりはトリチウム3Hの放射線を定量するサンプリングスケールに起因する印を表している。
【図４ｂ】図4aのサンプリングスケールの印付けを実行する膜の上部に設置されて膜が現像されたものの再現である。
【発明を実施するための形態】
【００２４】
[β-線検出器具]
図1を参照すると、β-線検出器具が以降で説明されている。器具Kは、固体表面Sを破壊せずにβ-線を検出さらには測定することを可能にする。
【００２５】
器具Kは、β-線を含む少なくとも2種類の放射線に対して感受性を有する少なくとも2つの膜1,2を有する。
【００２６】
たとえば2つの膜1,2は同一であって、β-線、γ線、X線、又はα線に対して感受性を有して良い。
【００２７】
他の例では、2つの膜1,2はそれぞれ異なる。2つの膜1,2のうちの一は、β-線に対して感受性を有する。2つの膜1,2のうちの他は、β-線には感受性を有しないが、γ線又はX線に対して感受性を有する。
【００２８】
器具K中での膜の数は、検出及び/又は測定したい放射線の種類に従って変化する。
【００２９】
2つの膜1,2は有利となるように、リン光体層で被覆されたポリマーで作られる。これらの膜の厚さは典型的には1mmである。これらの膜1,2は、一旦β-線、γ線、X線、又はα線に曝露されても、強度が均一の白色光（ただしUV光成分を含まない）に曝露することによって容易に再利用可能となる。
【００３０】
器具Kはまた、膜を使用不能にする恐れのある固体表面Sの周囲の放射線−特に日光−から膜1,2を保護する保護体3をも有して良い。保護体3は、約450μg/cm2の薄いポリマーシート、膜1,2が感受性を有する放射線が侵入しない材料から作られる黒い織物又は被覆体であって良い。保護体3が被覆体である場合、これは鉛から作られて良い。
【００３１】
β-線は様々な原子核−たとえばトリチウム3H及び炭素1414C−から放出される。関心がトリチウム3Hにしかない場合、トリチウム3Hのβ-線のみを検出する必要がある。炭素14(14C)から放出されるβ-線は、トリチウム3Hから放出されるβ-線よりも侵入する。しかし炭素1414Cから放出されるβ-線は、固体表面Sと第1膜1との間のたとえば1枚の紙のシートからなるセパレータ4を用いることによって、トリチウム3Hから分離されうる。この場合、炭素1414Cのみが現像された膜上で見える。よってトリチウム3Hは、2つの記録物（一はセパレータを用いた場合の記録で、他はセパレータを用いなかった場合の記録）の差異によって観測される。
【００３２】
器具Kはまた、トリチウム3Hを定量するサンプリングスケール5をも有して良い。サンプリングスケール5は、β-線の定量、ひいてはトリチウム3Hの定量を可能にする。
【００３３】
サンプリングスケール5は、様々な濃度（たとえば1kBq/g〜10kBq/g）のトリチウム3Hを含むことでよって1組の基準を生成する様々なマトリックス（たとえばポリマー、コンクリート、金属等）の組である。サンプリングスケール5は、固体表面S上でかつ膜1,2の下に設置される。マトリックスは、膜1上で良好なコントラストが得られるように選ばれる（図4aの例のマトリックスのサイズは、直径が約1cmで厚さが約1mmの円筒に相当する）。
【００３４】
サンプリングスケールは、曝露時間に従って膜1,2に対してそれぞれ異なる影響を及ぼす。定量分析の場合では、膜1,2はスケール上で同一期間曝露されることで、材料が分析される必要がある。
[当該器具の使用方法]
図2aと図2bを参照すると、上述の器具Kの使用方法が以降で説明される。
【００３５】
最初に第1膜1が、固体表面S上のE2,E2’に直接設置される。前記第1膜1は、β-線、γ線、X線、又はα線によって刻印され、β-線、γ線、X線、又はα線の一部を止める。
【００３６】
次に第2膜2が、固体表面S上のE3,E3’に直接設置される。一部の放射線は、第1膜1によって止められる。よって第2膜2は、第1膜1を通過して侵入する放射線によってのみ刻印される。
【００３７】
他の膜もまた、これまで設置された膜上に直接積層することによって、その実施形態に応じて設置されて良い。使用される膜の数は、検出及び/又は測定したいβ-線に依存する。この理由は、すべてのβ-線がある材料中を同じように同一距離侵入する訳ではないからである。
【００３８】
β-線はそれほど侵入しない。ほとんどの場合において、β-線は、第1膜1によって止められるので、その第1膜1にしか刻印しない。しかし場合によって、β-線はより侵入することもあり得る。従って少なくとも1つの追加膜を用いることが必要である。最も侵入する放射線−たとえばγ線又はX線−はすべての膜を刻印する。
【００３９】
第2膜2−又は複数の膜が用いられる場合には、その積層体の最上部の膜−上で検出される放射線がβ-線以外の放射線であるか否かを、適切な電子検出器を用いることによって確認することが可能である。検出器が、第2膜2−又は複数の膜が用いられる場合には、その積層体の最上部の膜−を刻印する放射線が、たとえばγ線又はX線であることを示唆する場合、他の膜を追加する必要はない。あるいはその代わりに検出器が、γ線又はX線によって刻印されない第2膜2−又は複数の膜が用いられる場合には、その積層体の最上部の膜上の点が存在することを示唆する場合、さらなる膜を追加することが必要である。その理由は、残された印は、より侵入したβ-線に起因する蓋然性が高いからである。
【００４０】
固体表面周辺の環境に由来する迷光による膜の影響及び/又は汚点の生成を可能な限り回避するため、2つの膜1,2又は複数の膜からなる積層体は、保護体3−たとえば被覆体−によって覆われて良い（E4,E4’参照）。
【００４１】
膜1,2は、所与の期間−たとえばトリチウム3Hによる汚染が少ない場合には2週間−固体表面Sからの放射線に曝露される。その期間は、信号対バックグラウンド比を最適化して、膜上で最高のコントラスを得るため、実験的に決定される。
【００４２】
曝露時間の終了時に、膜1,2は回収されて、適切な装置によるレーザーに曝露される。
【００４３】
膜1,2が回収されて任意で移送されるとき、膜1,2によって記録されたデータの劣化を防止するため、膜1,2を周囲の迷光にしないように注意することが必要である。
【００４４】
図2bでセパレータ4が用いられる場合、セパレータ4は、第1膜1が固体表面Sと接する前に設けられる（E1’参照）。この場合、第1膜1はセパレータ4と接する。
【００４５】
様々な濃度のトリチウム3Hを含む複数のマトリックスの組であるサンプリングスケール5が用いられる場合（図2a参照）、サンプリングスケール5は、第1膜1の下又はセパレータ4（用いられる場合）の下に設けられなければならない。
【００４６】
当該方法の一の利点は、一連の操作を正しく行うことが簡単なことである。前記一連の操作は、膜1,2と、任意のセパレータ4と、保護体3と、サンプリングスケール5が重ね合わせられることでまとめて実行される。これらの操作の自動化が単純化される。その自動化を行うロボットの開発はそれほど困難なことではない。
[当該器具によって得られた結果]
図3aと図3bは、トリチウム3Hと接した固体表面によって放出されるβ-線及びγ線による第1膜1の印（図3a）と第2膜2の印（図3b）をそれぞれ再現している。
【００４７】
図3aでは、8つの刻印された領域が見える。前記8つの刻印された領域は、第1膜1上でB1〜B3及びG1〜G5の参照記号でラベル付けされている。
【００４８】
図3bでは、5つの刻印された領域が見える。前記5つの刻印された領域は、第2膜2上でΓ1〜Γ5の参照記号でラベル付けされている。
【００４９】
膜1と膜2とを比較することによって、第1膜1の領域G1〜G5が、第2膜2のΓ1〜Γ5に対応することが分かる。従ってこれら5つの領域は、β-線よりも侵入するγ線によって刻印された。β-線は、第1膜1の領域B1〜B3のみを刻印した。第2膜2に対応する領域が存在しないことが、これらの放射線がβ-線であることを示唆している。
【００５０】
従って領域B1〜B3に対応する固体表面の領域は、トリチウム3Hによって汚染された。
【００５１】
このことは、β-線（及び間接的にはβ-線に関与する原子核）の検出が単純化されることを示している。それに加えて、この検出によって、トリチウム3Hの汚染情報が2次元で与えられる。
【００５２】
β-線（ひいてはトリチウム3H）の定量的な測定を可能にするため、サンプリングスケール5が、図4aに図示されているように用いられる。サンプリングスケール5に残された印は、ある程度の強度で刻印された円の組（暗部）である。円が膜の残りの部分の色に近づくにつれて、トリチウム3Hの汚染は低くなる。第1膜1について得られた結果と、このスケール5とを比較することによって、トリチウム3Hの定量が可能となる。
【００５３】
図4bは、図4aの膜と接した状態で設置された膜を表している。この膜は刻印されていない。このことは、β-線が2つの膜の積層体によって評価可能であり、かつ、β-線は、第1膜1が刻印されて第2膜2が刻印されない地点に存在することを明らかに示している。
【図１】
2013541001.tif 000003
【図２ａ】
2013541001.tif 000004
【図２ｂ】
2013541001.tif 000005
【図３ａ】
2013541001.tif 000006
【図３ｂ】
2013541001.tif 000007
【図４ａ】
2013541001.tif 000008
【図４ｂ】
2013541001.tif 000009
【国際調査報告】
2013541001.tif 000010
2013541001.tif 000011
2013541001.tif 000012
2013541001.tif 000013
2013541001.tif 000014
2013541001.tif 000015